【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
所定の色空間の色信号を画像出力を行うための色材の色空間の色材値信号に変換するための色分解テーブルの作成方法であって、
前記所定の色空間の色信号によって規定される格子点からなる立体において、それぞれ所定の格子点を結んで得られる複数の制御ラインを設定する工程と、
該設定された複数の制御ラインのうち４本の制御ラインの組合わせによって複数の四面体を設定する工程と、
該設定された複数の四面体のそれぞれについて、頂点に対向する三角形に平行な複数の三角形を設定する工程と、
該複数の三角形のそれぞれについて、当該三角形の３つの頂点それぞれについて、当該頂点の対辺に平行なグリッド線上の格子点について、当該グリッド線が交わる２つの辺上の格子点の色材値を用いた補間によって色材値を求める工程と、
該求めた格子点の色材値に対して、前記３つの頂点それぞれについて求められる同じ格子点の色材値の平均を求め、該平均値を当該格子点の色材値に設定する工程と、
を有することを特徴とする色分解テーブル作成方法。
【請求項２】
前記平均値は、前記補間によって求められた色材値に対して、前記グリッド線に対向する頂点からの距離が近い程大きい重み付けされた色材値の平均値であることを特徴とする請求項１に記載の色分解テーブル作成方法。
【請求項３】
前記四面体の頂点に対向する三角形に平行な複数の三角形を設定する工程は、前記四面体の４つの頂点それぞれについて当該頂点に対向する三角形に平行な複数の三角形を設定し、
前記色材値を設定する工程は、前記複数の四面体それぞれについて、当該四面体の４つの頂点に関して求められる、当該四面体内の同じ格子点の４つの色材値の平均を求め、該平均値を当該格子点の色材値に設定することを特徴とする請求項１または請求項２に記載の色分解テーブル作成方法。
【請求項４】
前記重み付けされた色材値の平均を求める工程は、当該重み付けの大きさを、前記３つの頂点それぞれに関して当該頂点を端部とする２辺上の格子点の色材値の総量を用いて定めることを特徴とする請求項２に記載の色分解テーブル作成方法。
【請求項５】
所定の色空間の色信号を画像出力を行うための色材の色空間の色材値信号に変換する画像処理装置であって、
前記所定の色空間の色信号によって規定される格子点からなる立体において、それぞれ所定の格子点を結んで得られる複数の制御ラインを設定する手段と、
該設定された複数の制御ラインのうち４本の制御ラインの組合わせによって複数の四面体を設定する手段と、
該設定された複数の四面体のそれぞれについて、頂点に対向する三角形に平行な複数の三角形を設定する手段と、
該複数の三角形のそれぞれについて、当該三角形の３つの頂点それぞれについて、当該頂点の対辺に平行なグリッド線上の格子点について、当該グリッド線が交わる２つの辺上の格子点の色材値を用いた補間によって色材値を求める手段と、
該求めた格子点の色材値に対して、当該グリッド線の当該頂点からの距離が近い程大きい重み付けをし、３つの頂点について求められる同じ格子点の重み付けされた色材値の平均を求め、該平均値を当該格子点の色材値に設定する手段と、
を有することを特徴とする画像処理装置。
【請求項６】
前記四面体の頂点に対向する三角形に平行な複数の三角形を設定する手段は、前記四面体の４つの頂点それぞれについて当該頂点に対向する三角形に平行な複数の三角形を設定し、
前記色材値を設定する手段は、前記複数の四面体それぞれについて、当該四面体の４つの頂点に関して求められる、当該四面体内の同じ格子点の４つの重み付け平均された色材値の平均を求め、該平均値を当該格子点の色材値に設定することを特徴とする請求項５に記載の画像処理装置。
【請求項７】
前記重み付けされた色材値の平均を求める手段は、当該重み付けの大きさを、前記３つの頂点それぞれに関して当該頂点を端部とする２辺上の格子点の色材値の総量を用いて定めることを特徴とする請求項５または請求項６に記載の画像処理装置。
【請求項８】
コンピュータに、所定の色空間の色信号を画像出力を行うための色材の色空間の色材値信号に変換するための色分解テーブルを作成するための画像処理を実行させるプログラムであって、前記画像処理は、
前記所定の色空間の色信号によって規定される格子点からなる立体において、それぞれ所定の格子点を結んで得られる複数の制御ラインを設定する工程と、
該設定された複数の制御ラインのうち４本の制御ラインの組合わせによって複数の四面体を設定する工程と、
該設定された複数の四面体のそれぞれについて、頂点に対向する三角形に平行な複数の三角形を設定する工程と、
該複数の三角形のそれぞれについて、当該三角形の３つの頂点それぞれについて、当該頂点の対辺に平行なグリッド線上の格子点について、当該グリッド線が交わる２つの辺上の格子点の色材値を用いた補間によって色材値を求める工程と、
該求めた格子点の色材値に対して、当該グリッド線の当該頂点からの距離が近い程大きい重み付けをし、３つの頂点について求められる同じ格子点の重み付けされた色材値の平均を求め、該平均値を当該格子点の色材値に設定する工程と、
を有することを特徴とするプログラム。
【請求項９】
請求項８に記載のプログラムをコンピュータによって読取り可能に記憶した記録媒体。
【手続補正２】
【補正対象書類名】明細書
【補正対象項目名】０００９
【補正方法】変更
【補正の内容】
【０００９】
本発明は、上述した問題を解決するためになされたものであり、その目的とするところは、色分解テーブルの作成において、その色分解テーブルを用いて出力される画像に四面体毎に擬似輪郭が発生しない色分解テーブル作成方法および画像処理装置を提供することにある。
【手続補正３】
【補正対象書類名】明細書
【補正対象項目名】００１０
【補正方法】変更
【補正の内容】
【００１０】
上記目標を達成するため本発明は、所定の色空間の色信号を画像出力を行うための色材の色空間の色材値信号に変換するための色分解テーブルの作成方法であって、前記所定の色空間の色信号によって規定される格子点からなる立体において、それぞれ所定の格子点を結んで得られる複数の制御ラインを設定する工程と、該設定された複数の制御ラインのうち４本の制御ラインの組合わせによって複数の四面体を設定する工程と、該設定された複数の四面体のそれぞれについて、頂点に対向する三角形に平行な複数の三角形を設定する工程と、該複数の三角形のそれぞれについて、該複数の三角形のそれぞれについて、当該三角形の３つの頂点それぞれについて、当該頂点の対辺に平行なグリッド線上の格子点について、当該グリッド線が交わる２つの辺上の格子点の色材値を用いた補間によって色材値を求める工程と、該求めた格子点の色材値に対して、前記３つの頂点それぞれについて求められる同じ格子点の色材値の平均を求め、該平均値を当該格子点の色材値に設定する工程と、を有することを特徴とする。
【手続補正４】
【補正対象書類名】明細書
【補正対象項目名】００１１
【補正方法】変更
【補正の内容】
【００１１】
以上の構成によれば、それぞれの四面体について分割される三角形の内部補間では、三角形の頂点によって定まる３方向のそれぞれで内部補間を行い、それら３方向それぞれで得られたインク値の平均を求め、色分解テーブルを作成する。その結果、その色分解テーブルを用いて出力された画像に四面体毎に擬似輪郭が発生することを抑制する色分解テーブル作成方法および画像処理装置を提供することができる。
【手続補正５】
【補正対象書類名】明細書
【補正対象項目名】００２１
【補正方法】変更
【補正の内容】
【００２１】
図７（ｂ）は、制御ラインを示す図である。これらのラインは、図７（ａ）に示した立方体において８個の頂点Ｗ，Ｃ，Ｍ，Ｙ，Ｒ，Ｇ，Ｂ，Ｋが定められ、頂点Ｗからそれぞれ頂点Ｃ，Ｍ，Ｙ，Ｒ，Ｇ，Ｂを通り頂点Ｋに至るライン、および、頂点Ｗと頂点Ｋを結ぶラインであり、Ｓ６０１ではこれらのラインを制御ラインとして設定し、色変換テーブルを取得する。このテーブルは、外部記録装置、コンパクトディスク、フロッピー（登録商標）ディスクなどの記憶装置に記憶されたものを用いても、伝送機器５１４を介して取得してもよい。